(57)【要約】      （修正有）【課題】内容物を噴射させることによって胴体の温度が下がって胴体が冷たくなっても、低温の胴体の冷たさを感じずにエアゾール容器を手で掴んでその作業を続けることができるエアゾール容器を提供する。【解決手段】液体噴霧剤を貯留してなる容器本体１と、容器本体１の胴体２の外側に装着可能な断熱性を発揮するカバー材５との組み合わせでなる。カバー材５を筒状素材で形成することが可能である。液体噴霧剤は自動車のガラス面に付着した氷や霜を解氷する性質を備えている解氷剤であってもよい。カバー材５に切欠を形成しておけば、カバー材５を容器本体１の胴体２に嵌合しやすくなる。【選択図】図３
0003105753.tif 000002
【実用新案登録請求の範囲】
【請求項１】
噴霧ノズルを備えた中空筒状の胴体の内部に上記噴霧ノズルから噴射されることによって上記胴体の内部温度を下げる性質を有する液体噴霧剤を貯留してなる容器本体と、この容器本体の胴体の外側に装着可能な断熱性を発揮するカバー材との組み合わせでなるエアゾール容器。
【請求項２】
上記カバー材は、上記胴体の高さ寸法よりも長くない高さ寸法を有してその胴体に嵌合状に装着可能な筒状素材でなると共に、その筒状素材の開口縁に凹入状の切欠を形成することによってその筒状素材の開口広さを拡大してある請求項１に記載したエアゾール容器。
【請求項３】
上記液体噴霧剤が自動車のガラス面に付着した氷や霜を解氷する性質を備えている請求項２又は請求項３に記載したエアゾール容器。
【考案の詳細な説明】
【技術分野】
【０００１】
本考案は、エアゾール容器、特に、胴体に貯留されている液体噴霧剤を噴霧ノズルから噴射すると、胴体の温度が下がって冷たくなるようなエアゾール容器に関する。
【背景技術】
【０００２】
冬期のような外気温の低い時期には、自動車のフロントガラスなどのガラス面に付着した氷や霜で車内から車外を見渡すことができなくなることがあり、そのようなときには、氷や霜を解氷して視界を改善するために、解氷剤をエアゾール容器のノズルから噴射してガラス面に吹き付けることがある。
【考案の開示】
【考案が解決しようとする課題】
【０００３】
しかしながら、この作業を行う場合、解氷剤の噴射時に胴体内部の温度が下がって胴体自体の温度も下がるという現象が発生するので、外気温が低いということと相まって、作業時に胴体の温度が顕著に下がって冷たくなり、その胴体を素手で掴んでいられなくなることがある。そこで、手袋を持ち合わせていれば、手袋を嵌めて作業を続けることができるけれども、手袋を持ち合わせていないようなときには、作業を中断して手をポケットに入れたり擦り合わせるなどして暖めながら作業を断続的に続けることを余儀なくされる。
【０００４】
同様の状況は、解氷剤を入れたエアゾール容器を取り扱う場合だけでなく、他の種類の液体噴霧剤を入れた容器を取り扱う場合にも、その液体噴霧剤が、噴霧ノズルからの噴射時に胴体の内部温度を下げる性質を有するものである場合に起こり得る。
【０００５】
本考案は以上の状況の下でなされたものであり、手袋を持ち合わせていないようなときでも、内容物を噴射させることによって胴体の温度が下がって胴体が冷たくなっても、低温の胴体の冷たさを感じずにエアゾール容器を手で掴んでその作業を続けることができるようにすることを目的とする。
【課題を解決するための手段】
【０００６】
本考案に係るエアゾール容器は、噴霧ノズルを備えた中空筒状の胴体の内部に上記噴霧ノズルから噴射されることによって上記胴体の内部温度を下げる性質を有する液体噴霧剤を貯留してなる容器本体と、この容器本体の胴体の外側に装着可能な断熱性を発揮するカバー材との組み合わせでなる。この構成であれば、容器本体の胴体の外側に装着したカバー材の上から容器本体を掴んで噴霧作業を行うことができるようになり、そのようにすることによって、噴霧中に容器本体の胴体の温度が下がって冷たくなっても、カバー材の断熱性によって胴体の温度が手に伝わりにくくなってその冷たさを感じずに作業を続けることが可能になる。また、カバー材を用いる必要がないときには容器本体だけを用いて噴霧作業を行うことができる。
【０００７】
本考案において、上記カバー材は、上記胴体の高さ寸法よりも長くない高さ寸法を有してその胴体に嵌合状に装着可能な筒状素材でなると共に、その筒状素材の開口縁に凹入状の切欠を形成することによってその筒状素材の開口広さを拡大してある、という構成を採用することが可能である。これによれば、筒状素材の内径寸法を容器本体の胴体の外形寸法と同程度にして、カバー材を容器本体の胴体に嵌合して装着させたときにカバー材が胴体に滑らないように保持されるようにしたとしても、カバー材の開口は、筒状素材の開口縁に形成された凹入状の切欠によってその広さが拡大されているために、そのカバー材を楽に容器本体の胴体に嵌合させることが可能になる。
【０００８】
本考案においては、上記液体噴霧剤が自動車のガラス面に付着した氷を解氷する性質を備えているものであってもよい。液体噴霧剤がこの性質を有していると、冬期の屋外で自動車のガラス面に付着した氷を解氷するときなどに起こりうるように、外気温の低いことに加えて、液体噴霧剤を噴射ノズルから噴射させたときに胴体の温度が極端に低下するような場合でも、カバー材の作用で胴体の冷たさが手に伝わりにくくなって作業を中断せずに解氷作業を続けることが可能になる。
【考案の効果】
【０００９】
以上のように、本考案に係るエアゾール容器によれば、噴霧作業中に容器本体の胴体の温度が下がって素手で持ち続けられなくなるような場合にも、カバー材をあらかじめ胴体に装着しておくことによって胴体の冷たさを手に感じずに済むようになるので、胴体の冷たさを感じずに作業を続けることが可能になる。また、カバー材を形成する筒状素材の開口縁に凹入状の切欠を形成してその筒状素材の開口広さを拡大したものでは、筒状素材の内径寸法を容器本体の胴体の外形寸法と同程度にして、カバー材を滑り落ちないように容器本体の胴体に嵌合状に装着することができるにもかかわらず、カバー材を楽に容器本体の胴体に嵌合させることが可能になるという効果が奏される。
【００１０】
特に、液体噴霧剤が自動車のガラス面に付着した氷を解氷する性質を備えているものである場合には、冬期の屋外で自動車のガラス面に付着した氷を解氷するときに容器本体の胴体の温度が極端に低下した場合でも、カバー材の作用で胴体の冷たさが手に伝わりにくくなって作業を中断せずに続けることが可能になるという卓越した効果が奏される。
【考案を実施するための最良の形態】
【００１１】
図１は本考案に係るエアゾール容器の容器本体の概略側面図、図２は同エアゾール容器のカバー材の概略斜視図である。
【００１２】
この実施形態のエアゾール容器は、図１に示した容器本体１と、図２に示したカバー５とによって構成されている。容器本体１は、中空円筒状の胴体２の頂部に結合されている頂板２１に装備された噴射ノズル３を備え、その噴射ノズル３を手の指で押し下げることによって内容物をそのノズル孔から噴射させることができる。また、胴体２にはキャップ４が着脱可能であり、このキャップ４を装着しておくことによって噴射ノズル３を保護することができるようになっている。内容物にはたとえば解氷剤としての機能を備えた液体噴霧剤が選択される。解氷剤は、氷や霜が付着したガラス面などに吹き付けることによって解氷・解霜を助けることのできる性質を備えていて、容器本体２の内部には噴出圧を発生させるための高圧ガスとともに貯留される。
【００１３】
この容器本体１において、噴射ノズル３を押し下げて解氷剤を噴出させると、それに伴って胴体２の内部で温度が下がって胴体２自体の温度も下がるという現象の発生することがある。そのため、自動車のガラス面に氷や霜が付着するほど外気温の低い時期に、容器本体１の胴体２を直接に素手で掴んで解氷作業を行うと、胴体２の冷たさが直接に手に伝わって作業を続けにくくなったり、場合によっては作業を続けられなくなるという事態に陥ることさえある。そこで、この実施形態では、図２に示したカバー材５を容器本体１の胴体２に装着して、その上から胴体２を掴むことができるようにしている。
【００１４】
図２のカバー材５は、断熱性に優れる素材を使って筒状に作られている。さらに具体的には、薄手のアルミ箔に断熱性に富む極薄の機能性発泡樹脂シートを裏貼りした素材の端部同士を溶着５１して筒状に形作ってある。また、カバー材５を形成している筒状素材の片側（両側であってもよい）の開口縁５２に凹入状の切欠５３を形成している。上記切欠５３は、図２のように筒状素材を偏平に折り畳んでそのコーナ部を斜めに切除することによって形成される切除跡によって形成されている。このように筒状素材の開口縁５２に切欠５３を形成しておくと、筒状素材５を円筒状に拡げたときの軸線に直交する方向での内周径Ｗ１に対して、切欠５３を形成した箇所での軸線に斜めに交差する方向での内周直径Ｗ２が拡大する。そのため、内周径Ｗ１を容器本体１の胴体２の外周径と同程度にしておくことによって、カバー材５を胴体２に滑らないように嵌合することができるようにしておいても、カバー材５を切欠５３の形成箇所の広い開口を利用して胴体２に楽に嵌合することができるようになる。
【００１５】
上記カバー材５を胴体５に装着してそのカバー材５の上から容器本体１を掴んで噴霧作業を行うと、噴霧中に容器本体１の胴体２の温度が下がって冷たくなっても、カバー材５の断熱性によって胴体５の温度が手に伝わりにくくなってその冷たさを感じずに作業を続けることが可能になる。
【００１６】
また、図例（図３参照）のように、カバー材５の高さ寸法を、胴体２の高さ寸法よりも長くない寸法、すなわち、胴体５と同じ高さ寸法か、それより短い高さ寸法にしておけば、容器本体１の胴体２にカバー材５を装着したときに、そのカバー材５が噴霧ノズル３のノズル孔を塞いでしまうといった事態が起こりにくいという利点がある。
【００１７】
この実施形態では、カバー材５を筒状素材を用いて容器本体１の胴体２に装着しやすくしてあるけれども、この点は、カバー材５を一枚物の片状の素材で作り、それを胴体２に巻き付けて装着するようにしておいてもよい。また、液体噴霧剤として解氷材を使用したものを説明したけれども、液体噴霧剤として他の噴霧剤、たとえば洗浄剤、防曇材などを容器本体１の胴体２の内部に貯留しておいてもよい。
【図面の簡単な説明】
【００１８】
【図１】本考案に係るエアゾール容器の容器本体の概略側面図である。
【図２】同エアゾール容器のカバー材を偏平に折り畳んだ状態での側面図である。
【図３】カバー材を容器本体の胴体に装着した状態の一部破断側面図である。
【符号の説明】
【００１９】
１  容器本体
２  胴体
３  噴霧ノズル
５  カバー材
５３  切欠
【図１】
0003105753.tif 000003
【図２】
0003105753.tif 000004
【図３】
0003105753.tif 000005